(57)【要約】【課題】加熱コイルからの磁界が本体外へ漏れない外枠を形成することで、防磁板を省略しても磁界が漏れない炊飯器を提供する。【解決手段】炊飯器本体１と、炊飯器本体１内に着脱自在に収納する鍋２と、鍋２を誘導加熱する加熱コイル１０と加熱コイル１０の動作を制御する加熱制御部１１と、鍋２と加熱コイル１０とを覆い、かつ炊飯器本体１を形成する外枠５と、外枠５は誘導加熱される磁性金属材料で形成され、そのカシメ部２９の厚みＡを金属材料の板厚ｔの和Ｔの約１．５倍以下にした炊飯器とすることにより、加熱コイル１０から発する磁界が炊飯器本体１外へ漏れることを磁性金属材料で構成された外枠５で低減することが可能となる。【選択図】図１
2013236859.tif 000002
【特許請求の範囲】
【請求項１】
炊飯器本体と、前記炊飯器本体に着脱自在に収納する鍋と、前記鍋を誘導加熱する加熱コイルと加熱コイルの動作を制御する加熱制御部と、内鍋と加熱コイルとを覆い、かつ前記炊飯器本体を形成する外枠とを備え、前記外枠は、四角状の板金の一組の対辺を互いにカシメることにより形成され、前記カシメ部の厚みを前記板金厚の和の約１．５倍以下にした炊飯器。
【請求項２】
前記外枠のカシメ部の形状を、コの字型の形状にしたことを特徴とする請求項１に記載の炊飯器。
【請求項３】
前記外枠のカシメ部の他方側に折り曲げ部を設けた請求項１または２に記載の炊飯器。
【発明の詳細な説明】
【技術分野】
【０００１】
本発明は、加熱コイルにより内鍋を誘導加熱するようにした炊飯器に関するものである。
【背景技術】
【０００２】
近年、電磁誘導加熱を利用した炊飯器（ＩＨ炊飯器）が市場で広まっており、また、設置スペースの関係から省スペース化、コンパクト化の要望が高まってきている。
【０００３】
例えば従来の炊飯器としては、図６に示すようなものであった。図６において、５１は上面が開口する本体で、開閉自在の蓋５２に覆われている。炊飯器本体５１の内部には鍋５３が着脱自在に収納されている。鍋５３は、ステンレス、鉄などの磁性体によって形成されている。保護枠５４は、鍋５３の収納部であり、非金属材料により有底円筒状に形成されている。保護枠５４の外側には鍋５３を誘導加熱する加熱コイル５５が配設されている。加熱コイル５５は、保護枠５４の底面外側に配設された内コイル５６と、その外周上に配設された外コイル５７とからなる。
【０００４】
更に、加熱コイル５５の外方にはフェライト５８を配設しており、これにより、外部への防磁（炊飯器の外部に漏れる磁界を低減すること）を行う。５９は鍋５３の温度を測定する温度センサである。６０は加熱コイル５５に高周波電力を供給する加熱制御部である。
【０００５】
６１は導電材料製（例えば、アルミニウム製）でおよそ筒状の防磁板である。防磁板６１は、加熱コイル５５の外周側方で、防磁板６１の上下面は加熱コイル５５の上面・下面よりそれぞれ上方・下方に位置するよう設けられている。防磁板６１には、防磁板６１を通過する磁界を打ち消すような渦電流が発生する。防磁板６１は、炊飯器の外部に漏れる磁界（磁界）を低減し、加熱コイル５５の外側に漏れた磁界によって、炊飯器本体５１又は炊飯器本体５１の外部にある部材の温度が上昇することを防止しているものである（例えば、特許文献１）。
【０００６】
また、デザイン性等から、炊飯器本体５１の外郭部（ボディ）６２は、樹脂ではなく、金属で構成されるものもある。
【先行技術文献】
【特許文献】
【０００７】
【特許文献１】特許第４２８９３０７号公報
【発明の概要】
【発明が解決しようとする課題】
【０００８】
しかしながら、上記のような従来の炊飯器では、防磁板６１を加熱コイル５５の外周に設けてボディ６２と一体にすることで磁界の漏れを防いでいたが、それだけ部品数が増え、外枠の外形も大きくなってしまうという課題があった。
【０００９】
また、ボディ６２が金属で構成されたものに関しても、金属板から円筒状に形成するためにカシメで接続しており、カシメの接続部の状態によって、外部へ漏れる磁界が多くなるという課題があった。
【００１０】
本発明は前記従来の課題を解決するもので、炊飯器をコンパクト化しつつ炊飯器から外部に漏れる磁界（磁界）を低減し、利便性の高い炊飯器を提供することを目的とする。
【課題を解決するための手段】
【００１１】
前記従来の課題を解決するために本発明の炊飯器は、炊飯器本体と、前記炊飯器本体に着脱自在に収納する鍋と、前記鍋を誘導加熱する加熱コイルと加熱コイルの動作を制御する加熱制御部と、内鍋と加熱コイルとを覆い、かつ前記炊飯器本体を形成する外枠とを備え、前記外枠は、四角状の板金の一組の対辺を互いにカシメることにより形成され、前記カシメ部の厚みを前記板金厚の和の約１．５倍以下にした炊飯器とするものである。
【００１２】
これによって、加熱コイルから発する磁界を外枠で低減することにより、本体外へ漏れる磁界を低減することが可能となり、炊飯器をコンパクト化しつつ炊飯器から外部に漏れる磁界（磁界）を低減することができる。
【発明の効果】
【００１３】
本発明の炊飯器は、炊飯器から外部に漏れる磁界（磁界）を低減し、かつ本体をコンパクト化した炊飯器を提供することができる。
【図面の簡単な説明】
【００１４】
【図１】本発明の実施の形態１における炊飯器の断面図
【図２】同炊飯器の外枠（ボディ）の斜視図
【図３】同炊飯器の外枠（ボディ）のカシメ部の拡大図
【図４】同炊飯器のカシメ部の厚みと炊飯器本体外の磁界との関係図
【図５】本発明の実施の形態２の炊飯器の外枠（ボディ）のカシメ部の拡大図
【図６】従来の炊飯器の断面図
【発明を実施するための形態】
【００１５】
第１の発明は、炊飯器本体と、前記炊飯器本体に着脱自在に収納する鍋と、前記鍋を誘導加熱する加熱コイルと加熱コイルの動作を制御する加熱制御部と、内鍋と加熱コイルとを覆い、かつ前記炊飯器本体を形成する外枠とを備え、前記外枠は、四角状の板金の一組の対辺を互いにカシメることにより形成され、前記カシメ部の厚みを前記板金厚の和の約１．５倍以下にした炊飯器とすることにより、前記加熱コイルから発する磁界が本体外へ漏れることを磁性金属材料で構成された外枠で低減することが可能となる。
【００１６】
第２の発明は、外枠のカシメ部の形状を、コの字型の形状にしたことにより、外枠（ボディ）のカシメ部の接触抵抗を低減させることができ、さらに、加熱コイルから発する磁界が本体外へ漏れることを磁性金属材料で構成された外枠で低減することが可能となる。
【００１７】
第３の発明は、外枠のカシメ部の他方側に折り曲げ部を設けたことにより、ボディを上枠や下枠にセットする際に、ボディの周長と上枠や下枠の周長が異なったとしても、ボディの折り曲げ部で周長差を吸収することができ、カシメ部に負荷を与えることはない為、カシメ不良などにより接触抵抗が増えて、防磁性能が落とすことはなくなる。
【００１８】
以下、本発明の実施の形態について、図面を参照しながら説明する。なお、この実施の形態によって本発明が限定されるものではない。
【００１９】
（実施の形態１）
図１は、本発明の実施の形態１における炊飯器の側面断面図であり、図２は外枠（ボディ）の斜視図を示し、図３は外枠（ボディ）のカシメ部の拡大図を示し、図４は外枠（ボディ）のカシメ部の厚みと炊飯器本体外の磁界との関係を示すものである。
【００２０】
図１において、炊飯器本体１に、着脱自在に外面をステンレスで内面をアルミニウムにフッ素をコーティングした鍋２を内装する。鍋２は３ヶ所均等に配置し炊飯器本体１より突出した鍋を支持する部材である上枠キャップにより鍋２のフランジ部２ａを支持されている。炊飯器本体１の外郭は上面を上枠４、側面を外枠（ボディ）５、下面を下枠６で構成している。外枠５は、磁性体金属（例えばフェライト系ステンレス）で構成し、下枠６には冷却用ファン７により外気を取り込むための吸気口（図示せず）を備えている。鍋２収納部は耐熱性のある樹脂で成形した保護枠８で構成し、底部中央に鍋２の温度を検知するバネにより鍋２方向へ押圧力を有する鍋温度検知手段９と、保護枠８の下面に鍋２を加熱する電磁誘導加熱方式の加熱コイル１０を備え、加熱コイル１０は内側と外側に分割して配置した内加熱コイル１０ａと外加熱コイル１０ｂとにより構成している。炊飯器本体１後方には電磁誘導加熱方式を制御する加熱制御部１１を備え、加熱制御部１１には吸気口（図示せず）に対向する位置に炊飯器本体１内に外気を取り込む冷却用ファン７と、冷却用ファン７の内包にはアルミニウムで成形した放熱用のフィン１２と、スイッチング素子や整流素子などの高電力素子１３を備えており、保護枠８より延設した加熱制御部支持台（図示せず）により支持され、ビスにより固定されている。冷却用ファン７はフィン１２に延接した冷却用ファン支持部（図示せず）より支持され、ビスにより固定されている。また、コードリール１４を加熱制御部１１の側方に配置している。内加熱コイル１０ａと外加熱コイル１０ｂの外方にはフェライト１５をおよそ均等に３ヶ所備えており磁界が炊飯器本体１外へ漏れるのを防止し、かつ鍋２への誘導加熱を促進する働きをしている。さらに加熱コイル１０の下方には板状のアルミニウム板を折り曲げた防磁材１６を配置し、防磁性能の向上を行っている。ここで内加熱コイル１０ａと外加熱コイル１０ｂは分割して配置したが同時に駆動し鍋２を加熱する。炊飯器本体１上方には鍋２の上面を覆い操作表示部１７を備える蓋体１８が炊飯器本体１の後方に構成したヒンジ部１９に軸契合され開閉自在に設置されている。蓋体１８の操作表示部１７の上面は表示内容が視認できるよう透明に成形しており、操作表示部１７は機能や動作状態を表示しかつブザーなどの音により報知し、炊飯器の動作や停止を操作するボタンにより構成した起動手段を配置し、炊飯動作を制御する制御部を有している。蓋体１８内には蓋体１８の開閉状態により動作するマグネットとマグネットを検知するリードスイッチとにより構成した蓋開閉検知手段２０を備えており、蓋体１８の開閉状態を検知することができる。ヒンジ部１９には蓋体１８を開放方向に付勢するヒンジバネ２１を設けており、蓋体１８はヒンジバネ２１により自動で開放する。炊飯器本体１のヒンジ部１９の反対方向にはバネにより押圧力を有するフックボタン２２を備え、蓋体１８側のフックをフックボタン２２で上方より保持することにより蓋体１８を閉状態で保持する。さらに蓋体１８の鍋２対向面には鍋２内を加熱し蓋体１８に着脱自在の加熱板２３を配置し、蓋体１８内部には加熱板２３を加熱する電磁誘導加熱方式の加熱板加熱コイル２４と加熱板２３の温度を検知するバネにより加熱板２３へ押圧力を有する加熱板温度検知手段２５を備えている。加熱板２３には外周を鍋２のフランジ部２ａに圧接し、シールする鍋パッキン２６と鍋パッキン２６を保持する加熱板支えを備えている。加熱板２３には鍋２内と蓋体１８とを連通する蒸気孔を備え、蓋体１８には外気と蒸気孔とを連通する蒸気筒２７を備えている。炊飯器本体１側面には炊飯器を持ち運ぶ時に使用するハンドル２８を備えている。
【００２１】
図２の２９は、外枠（ボディ）５のカシメ部であり、磁性金属材料板をヒンジ部１９側でかしめて円筒状に形成している。カシメ部２９の詳細は図３のように、磁性金属材料板の両端をコの字型に形成し、コの字型に形成された端面同士を嵌め合わせて形成し、カシメ部２９の厚みＡは、下記に示した式のように、磁性金属材料板の板厚ｔの和の１．５倍以下にしている。
（式）Ａ≦４×ｔ×１．５
【００２２】
以上のように構成された炊飯器について、以下その動作、作用を説明する。炊飯を行う米とその米量に対応する水を鍋２入れ、炊飯器本体１の所定の状態にセットする。操作表示部１７に設けた起動手段により動作開始操作をすると、あらかじめ制御部に設定している炊飯工程が実施される。炊飯工程は浸水、炊き上げ、蒸らしの各工程に大別され、鍋温度検知手段９と加熱板温度検知手段２５とによる温度検知と内加熱コイル１０ａと外加熱コイル１０ｂと加熱板加熱コイル２４とによる鍋２と加熱板２３の加熱により所定の炊飯工程でご飯を炊き上げる。またご飯の保温時には、鍋２内のご飯の温度を食べごろの温度であるおよそ７５℃からご飯の乾燥や劣化を低減するやや低い温度のおよそ５５℃の範囲で温度維持している。
【００２３】
ここで鍋２の加熱時には、内加熱コイル１０ａと外加熱コイル１０ｂから磁界が発生するのであるが、この発生した磁界の鍋２側は鍋２を加熱するのであるが、鍋２以外の方向の磁界は炊飯器本体１外に放出されるため、フェライト１５により磁界が炊飯器本体１外へ放出されるのを低減し、さらに防磁材１６により減少させ、磁性金属材料からなる外枠（ボディ）５により減少させ、炊飯器本体１外への磁界の漏れを防止している。
【００２４】
図４は、カシメ部の厚みと炊飯器本体外の磁界との関係を示しており、カシメ部の厚みＡを材料の板厚ｔの和Ｔに近づくほど、炊飯器本体１の外部に漏れる磁界は減少し、板厚ｔの和Ｔの１．５倍を超えると炊飯器本体１の外部に漏れる磁界は急激に増える。
【００２５】
また、図３に示すとおり、カシメ部２９をコの字型に形成することで、カシメ時に位置決めすることができ、寸法を安定させることが出来るのと同時に、カシメ部２９の端面２９ａ、２９ｂが、側壁２９ｃ、２９ｄに接触することで、カシメ部２９の接触抵抗を下げることができ、加熱コイルから発する磁界が本体外へ漏れることを磁性金属材料で構成された外枠で低減することが可能となる。
【００２６】
以上のように、本実施の形態においては、外枠（ボディ）５を誘導加熱される磁性金属材料で形成し、そのカシメ部の厚みを金属材料の板厚の和の１．５倍以下にすることにより、加熱コイル１０から発する磁界が本体外へ漏れることを磁性金属材料で構成された外枠で低減することが可能となり、炊飯器本体１をコンパクト化することができる。
【００２７】
また、本実施の形態においてはフェライト１５をおよそ均等に３本配置するとしたが、フェライト１５の本数は３本に限るものではなく、加熱コイル１０の形状や消費電力による磁界の発生や炊飯器本体１形状により増減するものである。
【００２８】
（実施の形態２）
図５は、本発明の実施の形態２における炊飯器の外枠（ボディ）のカシメ部の拡大図を示すものである。本実施の形態２の炊飯器と実施の形態１と異なるのは、外枠（ボディ）のカシメ部の他方側に折り曲げ部を設けている点である。
【００２９】
以上のように構成された炊飯器について、以下その動作、作用を説明する。外枠（ボディ）５を上枠４や下枠６に取り付ける際に、外枠（ボディ）５の周長よりも上枠４や下枠６の周長の方が大きい場合、折り曲げ部が開くことで周長の違いを吸収し、カシメ部２９に負荷をかけることはなく、カシメ不良などにより接触抵抗が増えて、防磁性能が落とすことはなくなる。
【産業上の利用可能性】
【００３０】
以上のように、本発明にかかる炊飯器は、コンパクトで安価に防磁構成を実現することができ、製品の省スペース化、コンパクト化を達成することができるので、加熱コイルにより内鍋を誘導加熱するようにした炊飯器として有用である。
【符号の説明】
【００３１】
１    炊飯器本体
２    鍋
５    外枠（ボディ）
１０  加熱コイル
１１  加熱制御部
２９  外枠（ボディ）のカシメ部
３０  外枠（ボディ）の折り曲げ部
【図１】
2013236859.tif 000003
【図２】
2013236859.tif 000004
【図３】
2013236859.tif 000005
【図４】
2013236859.tif 000006
【図５】
2013236859.tif 000007
【図６】
2013236859.tif 000008